(57)【要約】      （修正有）【課題】身体が膨れていない部分にズボンのポケットを配することで、収納及び取り出しが容易となり、かつ見映えも良いズボンを提供する。【解決手段】投入口１から投入した収納物を受け取るポケット袋２を有し、当該ポケット袋２に収納されている収納物を取り出す取出口を備えたポケットＰを、ズボンＤの前身頃４と後身頃５の縫い目であるサイドシーム６に近接させて、前記後身頃５側に設ける。前記ポケットＰの下縁ｐ’は、前記後身頃５に縫着されないで後身頃５との間が開いているものとする。【選択図】図１
0003171692.tif 000002
【実用新案登録請求の範囲】
【請求項１】
投入口から投入した収納物を受け取るポケット袋を有し、当該ポケット袋に収納されている収納物を取り出す取出口を備えたポケットを、ズボンの前身頃と後身頃の縫い目であるサイドシームに近接させて、前記後身頃側に設けるとともに、前記ポケットの下縁は前記後身頃に縫着されないで後身頃との間が開いていることを特徴とするズボン。
【請求項２】
ポケットを１枚の生地で構成し、この１枚の生地を折り曲げて収納物を投入する投入口と、この投入口から投入した収納物を受け取るポケット袋と、当該ポケット袋に収納されている収納物を取り出す取出口を有する１つのポケットとしたことを特徴とする請求項１記載のズボン。
【請求項３】
ポケットの左右２つの側縁部のうちサイドシームから遠い側縁部を、後身頃に設けられたタックの長手方向の側縁部に縫着したことを特徴とする請求項１又は２記載のズボン。
【請求項４】
ポケットに外ポケットを重ね合わせて設けたことを特徴とする請求項１〜３のいずれかに記載のズボン。
【請求項５】
外ポケットの上縁に、タックを形成したことを特徴とする請求項４記載のズボン。
【請求項６】
外ポケットのポケット口の上方に、フラップが設けられていることを特徴とする請求項４又は５記載のズボン。
【考案の詳細な説明】
【技術分野】
【０００１】
本考案は、携帯電話を含む各種の収納物を収納することができるポケットを備えたズボンに関するものである。
【背景技術】
【０００２】
近年、携帯電話が広く普及し、外出する際には必ず持ち歩く習慣が身に付いている。この携帯電話を含む各種の収納物を携行するに当って、通常、バッグを持っている場合にはその中に、また、上衣やシャツを着用している場合にはそのポケット内に収納しているものと思われる。しかしながら、これら以外の場合には、ズボンやスラックスを含む各種のボトムスのポケットに収納せざるを得ない。
【０００３】
ところが、このようなボトムスにあっては、前ダーツ付近、サイドシーム付近、後身頃側のいずれかの位置に、あるいはそれぞれの位置にポケットが設けられている場合がほとんどである。なお、前ダーツ付近に設けられるポケットを前ポケットと、サイドシーム付近に設けられるポケットをサイドポケットあるいは脇ポケットと、後身頃側に設けられるポケットをヒップポケットあるいは後ろポケットと称されている。
【０００４】
このような位置にポケットが設けられていると、その位置にあるポケットに収納物を収納したとき、ポケット内での収納物の納まり具合が悪いという欠点がある。また、ポケットが膨らんで格好が悪く、履いているズボンのシルエットも崩れるという欠点もある。
【０００５】
さらに、前ポケットの場合には、収納物を深く差し込んでおかないと、収納物が不用意に前ポケットから落ちてしまったり、ヒップポケット（後ろポケット）の場合には、椅子その他の場所に着座したとき収納物を圧迫して破損する危険性がある。
【０００６】
このような欠点を解消するために、ズボンの前ダーツ付近に隠しポケットを設けたものが提案されている（例えば、特許文献１）。
【先行技術文献】
【特許文献】
【０００７】
【特許文献１】特開２００６−２８３２６７号公報(特に、図２)
【考案の概要】
【考案が解決しようとする課題】
【０００８】
しかしながら、この位置に隠しポケットを設けた場合には、着座したときにこの隠しポケットに収納した収納物が依然として着座したときの太股付近にまで達するため、特に、隠しポケットに収納する収納物が大きければ大きいほど、座り勝手が悪いのみならず、違和感を覚えることが多い。そして、この場合には、ポケットから収納物を取り出しにくいという欠点もある。
【０００９】
本考案は、このような欠点を解消することを目的とするもので、ズボンを着用する人の身体の特徴を充分考慮し、ズボンを着用した場合の最も有利であると思われる位置にポケットを設けることにより、人間工学的にも優れたズボンを提供しようとするものである。
【課題を解決するための手段】
【００１０】
この目的を達成するために、本考案では、投入口から投入した収納物を受け取るポケット袋を有し、当該ポケット袋に収納されている収納物を取り出す取出口を備えたポケットを、ズボンの前身頃と後身頃の縫い目であるサイドシームに近接させて、前記後身頃側に設けるとともに、前記ポケットの下縁は前記後身頃に縫着されないで後身頃との間が開いているものとする。
【００１１】
本考案においては、ズボンの前身頃と後身頃の縫い目であるサイドシームに近接させて、前記後身頃側にポケットが設けられていることを要旨とする。この位置にポケットが設けられていると、ズボンを着用した者にとっては身体が膨れていない部分にポケットが位置することになるので、ポケット内での収納物の納まり具合が極めて良好である。また、ポケットが膨らんで格好が悪いということもないし、履いているズボンのシルエットが崩れることもない。
【００１２】
特に、この位置にポケットが設けられていると、着座したときにこのポケットに収納されている収納物が着座したときの太股付近にまで達することがないので、座り勝手が悪いということはなく、違和感を覚えることもない。また、ポケットから収納物を取り出しやすいという利点もある。
【００１３】
また、この位置にポケットが設けられていると、収納物が不用意にポケットから落ちてしまうことはなく、さらに、椅子その他の場所に着座しても収納物を圧迫して破損することもない。
【００１４】
このように、本考案によれば、ズボンの前身頃と後身頃の縫い目であるサイドシームに近接させて、前記後身頃側にポケットが設けられている。したがって、ズボンを着用した者にとっては身体が膨れていない部分にポケットが位置することになるので、この特殊な位置にあるポケットに収納物を収納した場合の特長のほどは計り知れない。
【００１５】
そして、本考案のズボンにおけるポケットの下縁は、前記後身頃に縫着されないで後身頃との間が開いている。したがって、後身頃との間が開いているところから手指を突っ込んでポケットの取出口まで手指を伸ばせば、ポケット袋に収納されている収納物を取出口から極めて簡単に取り出すことができる。しかも、開いているところは、ズボンを着用した者にとっては身体が膨れていない部分であるから、ポケット袋に収納されている収納物を取出口からスムーズに取り出すことができる。
【００１６】
ポケットは少なくとも２枚に裁断した生地を縫い合わせて作製しても良いが、ポケットを１枚の生地で構成し、この１枚の生地を折り曲げて収納物を投入する投入口と、この投入口から投入した収納物を受け取るポケット袋と、当該ポケット袋に収納されている収納物を取り出す取出口を有する１つのポケットとすることが望ましい。このようにした場合には、１つのポケットを極めて簡単に作製することができ、ポケットのコストダウンを図ることができる。
【００１７】
ポケットの左右２つの側縁部のうちサイドシームから遠い側縁部を、後身頃に設けられたタックの長手方向の側縁部に縫着しておくことが望ましい。このようにした場合には、ポケット袋に分厚い物を収納した場合にも、前記タックによってポケットの膨らみ加減を自由に調整でき、ポケット内での収納物の納まり具合をさらに良好ならしめることができる。
【００１８】
ポケットに外ポケットを重ね合わせて設けておくと良い。このようにした場合には、外ポケットの内側にあるポケットをいわゆる隠しポケットのように利用できるだけでなく、その外側に位置する外ポケットを通常のポケットとして利用することができるので、極めて便利である。
【００１９】
外ポケットの上縁に、タックを形成しておくことが望ましい。このようにした場合には、外ポケットに収納物を収納しやすいのみならず、外ポケットに収納した収納物を取り出しやすい。
【００２０】
外ポケットのポケット口の上方に、フラップが設けられていることが望ましい。このフラップで外ポケットのポケット口を塞いでおくと、外ポケットに収納されている収納物が不用意に外ポケットから落ちるのを防止できる。
【考案の効果】
【００２１】
請求項１記載の考案によれば、ズボンの前身頃と後身頃の縫い目であるサイドシームに近接させて、前記後身頃側にポケットが設けられているから、ズボンを着用した者にとっては身体が膨れていない部分にポケットが位置することになり、ポケット内での収納物の納まり具合が極めて良好である。また、ポケットが膨らんで格好が悪いということもないし、履いているズボンのシルエットが崩れることもない。
【００２２】
特に、請求項１記載の考案によれば、着座したときにこのポケットに収納されている収納物が着座したときの太股付近にまで達することがないので、座り勝手が悪いということはなく、違和感を覚えることもない。また、ポケットから収納物を取り出しやすいという利点もある。
【００２３】
また、請求項１記載の考案によれば、収納物が不用意にポケットから落ちてしまうことはなく、さらに、椅子その他の場所に着座しても収納物を圧迫して破損することもない。
【００２４】
さらに、請求項１記載の考案によれば、ポケットの下縁は前記後身頃に縫着されないで後身頃との間が開いているから、後身頃との間が開いているところから手指を突っ込んでポケットの取出口まで手指を伸ばせば、ポケット袋に収納されている収納物を取出口から極めて簡単に取り出すことができる。しかも、開いているところは、ズボンを着用した者にとっては身体が膨れていない部分であるから、ポケット袋に収納されている収納物を取出口からスムーズに取り出すことができる。
【００２５】
請求項２記載の考案によれば、１つのポケットを極めて簡単に作製することができるので、ポケットのコストダウンを図ることができる。
【００２６】
請求項３記載の考案によれば、ポケット袋に分厚い物を収納した場合にも、前記タックによってポケットの膨らみ加減を自由に調整できるので、ポケット内での収納物の納まり具合をさらに良好ならしめることができる。
【００２７】
請求項４記載の考案によれば、外ポケットの内側にあるポケットをいわゆる隠しポケットのように利用できるだけでなく、その外側に位置する外ポケットを通常のポケットとして利用することができるので、極めて便利である。
【００２８】
請求項５記載の考案によれば、外ポケットに収納物を収納しやすいのみならず、外ポケットに収納した収納物を取り出しやすい。
【００２９】
請求項６記載の考案によれば、フラップにより外ポケットのポケット口を塞いでおくことにより、外ポケットに収納されている収納物が不用意に外ポケットから落ちるのを防止できる。
【図面の簡単な説明】
【００３０】
【図１】本考案を実施するための形態の一例を示す側面図である。
【図２】図１の一部のみを示す側面図で、タックを一部開くとともに、外ポケットのフラップを上に開いた状態で示す。
【図３】図１のＡ−Ａ線拡大断面図である。
【図４】図１のＢ−Ｂ線切断部の拡大端面図である。
【図５】使用状態の一例を示す拡大断面図である。
【図６】ポケットを１枚の生地で構成し、この１枚の生地を順次折り曲げて１つのポケットとした場合の一例を示す側面図で、(a)は裁断された１枚の生地を示し、(b)〜(d)はこの１枚の生地を所定の形状に折り曲げて行く工程を順に示し、(e)はこの工程を経て形成された１つのポケットを示す。
【考案を実施するための形態】
【００３１】
本考案を実施するための形態の一例を、図面に基づいて詳細に説明する。図１、図２に示すように、本考案では、投入口１から投入した収納物Ｃを受け取るポケット袋２を有し、当該ポケット袋２に収納されている収納物Ｃを取り出す取出口３を備えたポケットＰが設けられている。そして、このポケットＰはズボンＤの前身頃４と後身頃５の縫い目であるサイドシーム６に近接させて、前記後身頃５側に配置されている。一方、前記ポケットＰの下縁ｐ’は前記後身頃５に縫着されないで後身頃５との間が開いている。
【００３２】
このように、ズボンＤの前身頃４と後身頃５の縫い目であるサイドシーム６に近接させて、前記後身頃５側にポケットＰが設けられている。この点が本考案の最も要旨とするところである。そして、この特殊な位置にポケットＰを設けることにより、このポケットＰに収納物を収納した場合及びこの収納物をポケットＰから取り出す場合のいずれの場合においても、上述したような様々な利点を有するものとなる。
【００３３】
そして、この場合において、ポケットＰの下縁ｐ’は、前記後身頃５に縫着されないで後身頃５との間が開いている。したがって、後身頃５との間が開いているところ、すなわち、図１〜図３及び図５において符号７で示すところから手指を突っ込んでポケットＰの取出口３まで手指を伸ばせば、ポケット袋２に収納されている収納物Ｃを取出口３から極めて簡単に取り出すことができる。しかも、開いているところ７は、ズボンＤを着用した者にとっては身体が膨れていない部分であるから、ポケット袋２に収納されている収納物Ｃを取出口３からスムーズに取り出すことができる。
【００３４】
ポケットＰは少なくとも２枚に裁断した生地を縫い合わせて作製しても良いが、ここには、図６(a)に示すようにポケットＰを１枚の生地ｐで構成し、この１枚の生地ｐを図６(b)〜(d)に示すように所定の形状に順次折り曲げて行き、最終的に図６(e)に示すように、収納物Ｃを投入する投入口１と、この投入口１から投入した収納物Ｃを受け取るポケット袋２と、当該ポケット袋２に収納されている収納物を取り出す取出口３を有する１つのポケットＰとする場合が例示されている。このようにした場合には、１つのポケットＰを極めて簡単に作製することができ、ポケットＰのコストダウンを図ることができる。
【００３５】
また、ここには、図２において符号ｐ”で示すように、ポケットＰの左右２つの側縁部のうちサイドシーム６から遠い側縁部を、後身頃５に設けられたタック８の長手方向の側縁部に縫着した場合が例示されている。このようにした場合には、ポケット袋２に分厚い物を収納した場合にも、前記タック８によってポケットＰの膨らみ加減を自由に調整でき、ポケットＰ内での収納物Ｃの納まり具合をさらに良好ならしめることができる。
【００３６】
また、ここには、ポケットＰに外ポケット９を重ね合わせて設けた場合が例示されている。このようにした場合には、外ポケット９の内側にあるポケットＰをいわゆる隠しポケットのように利用できるだけでなく、その外側に位置する外ポケット９を通常のポケットとして利用することができるので、極めて便利である。
【００３７】
そして、この外ポケット９のほぼ中央部分であって少なくともその上縁に、タック１０を形成しておくと良い。ここには、外ポケット９の上縁から下縁にまで達するごとくタック１０を形成した場合が例示されている。このようにした場合には、外ポケット９に収納物Ｃを収納しやすいのみならず、外ポケット９に収納した収納物を取り出しやすい。
【００３８】
なお、ここには、外ポケット９の上縁から下縁に至るまで全体にわたってタック１０を設けた場合が例示されている。
【００３９】
なお、ポケットＰのポケット袋２にも、図４において符合２ａで示すように、上縁から下縁に達するタックを形成しておくと良い。ポケット袋２にこのタック２ａが形成されていると、ポケット袋２自体の膨らみ加減を自由に調整でき、ポケット袋２内での収納物Ｃの納まり具合をさらに良好ならしめることができる。
【００４０】
さらに、ここには、外ポケット９のポケット口９ａの上方に、フラップ１１が設けられている場合が例示されている。このフラップ１１で外ポケット９のポケット口９ａを塞いでおくと、外ポケット９に収納されている収納物Ｃが不用意に外ポケット９から落ちるのを防止できる。なお、フラップ１１の幅は外ポケット９のポケット口９ａの幅と同じにしても良いし、外ポケット９のポケット口９ａの真ん中のみを塞ぐような細い幅にしても良い。
【００４１】
そして、このフラップ１１と同じ幅で同じ生地をその上方に延び出させ、その部分をズボンのウエスト部分に取り付けてベルト通し１２としてある。
【００４２】
なお、図面中、符号１３は他の部分に取り付けたベルト通し、１４はサイドポケットである。
【００４３】
ここには、図１、図２に示すように、ズボンＤの左半身にポケットＰを設けた場合を例示するが、ズボンＤの右半身にポケットＰを設けても良く、また、左右両半身にポケットＰを設けても良い。さらに、ここでは、ヒップポケットについては、図示を省略してあるが、通常の位置にヒップポケットを設けることは自由である。
【００４４】
ここに示す例は本考案を実施するための形態の一例であって、本考案の実施に際して、各部の形状は図示した態様の場合のみに限定されるものではなく、本考案の要旨に沿って種々の設計変更が可能である。
【産業上の利用可能性】
【００４５】
本考案は通常のズボンのほか、スラックス、ジーンズ、パンタロンその他の長ズボンに広く適用することができるのみならず、半ズボンにも適用可能である。
【符号の説明】
【００４６】
１…投入口、２…ポケット袋、３…取出口、４…前身頃、５…後身頃、６…サイドシーム、７…開いているところ、８…タック、９…外ポケット、９ａ…ポケット口、１０…タック、１１…フラップ、Ｃ…収納物、Ｄ…ズボン、Ｐ…ポケット、ｐ…生地、ｐ’…ポケットの下縁、ｐ”…側縁部。
【図１】
0003171692.tif 000003
【図２】
0003171692.tif 000004
【図３】
0003171692.tif 000005
【図４】
0003171692.tif 000006
【図５】
0003171692.tif 000007
【図６】
0003171692.tif 000008